(57)【要約】【課題】ユーザがザッピングを行う際の利便性を高める。【解決手段】映像音声出力装置は、第１映像音声信号を第１映像信号及び第１音声信号に分離する分離手段（１１１）と、第２映像音声信号を第２映像信号及び第２音声信号に分離する分離手段（１１２）と、第１及び第２映像信号を選択的に映像出力信号として出力可能な映像選択手段（１２１）と、第１及び第２音声信号を選択的に音声出力信号として出力可能な音声選択手段（１２２）と、ザッピング開始指令を入力可能な入力手段（１５０）と、映像出力信号として第１映像信号が出力され、音声出力信号として第１音声信号が出力される状態で、ザッピング開始指令が入力されたときには、映像出力信号として第２映像信号を出力するように、且つ、音声出力信号として第１音声信号を出力するように、映像及び音声選択手段を制御する制御手段（１４０）とを備える。【選択図】図１
2008244606.tif 000002
【特許請求の範囲】
【請求項１】
第１映像音声源から第１映像信号及び第１音声信号を含む第１映像音声信号が入力され、前記第１映像音声信号を前記第１映像信号及び前記第１音声信号に分離する第１分離手段と、
第２映像音声源から第２映像信号及び第２音声信号を含む第２映像音声信号が入力され、前記第２映像音声信号を前記第２映像信号及び前記第２音声信号に分離する第２分離手段と、
前記第１及び第２映像信号のいずれか一の映像信号を選択的に映像出力信号として出力可能な映像選択手段と、
前記第１及び第２音声信号のいずれか一の音声信号を選択的に音声出力信号として出力可能な音声選択手段と、
ザッピングを開始すべき旨のザッピング開始指令を入力することが可能なザッピング開始指令入力手段と、
前記映像出力信号として前記第１映像信号が出力されると共に前記音声出力信号として前記第１音声信号が出力される状態である場合において、前記ザッピング開始指令が入力されたときには、前記映像出力信号として前記第２映像信号を出力するように前記映像選択手段を制御すると共に前記音声出力信号として前記第１音声信号を出力するように前記音声選択手段を制御する制御手段と
を備えることを特徴とする映像音声出力装置。
【請求項２】
前記１及び第２映像音声信号の内容は、ＣＭを含むことを特徴とする請求項１に記載の映像音声出力装置。
【請求項３】
前記１及び第２映像音声源の少なくとも一方は、放送信号を受信する放送受信手段を含むことを特徴とする請求項１又は２に記載の映像音声出力装置。
【請求項４】
前記１及び第２映像音声源の少なくとも一方は、記録媒体に記録された記録信号を再生する再生手段を含むことを特徴とする請求項１又は２に記載の映像音声出力装置。
【請求項５】
前記１及び第２映像音声源の少なくとも一方は、ネットワークを介して所定のサーバ装置から配信される映像音声データを受信する受信端末を含むことを特徴とする請求項１又は２に記載の映像音声出力装置。
【発明の詳細な説明】
【技術分野】
【０００１】
本発明は、例えばテレビジョン受像機等の映像音声出力装置の技術分野に関する。
【背景技術】
【０００２】
この種の映像音声出力装置の一例であるテレビジョン受像機では、ユーザが所謂ザッピング（即ち、視聴中の番組が中断してＣＭ（Commercial Message：コマーシャル）が開始されたときに、チャンネルを切り換えて、裏番組の放送内容を確認する行為）を行うのを支援するための機能を有するものがある。例えば、ＣＭが終了すると裏番組から見ていた元の番組に自動的に切り替わる技術が提案されている（特許文献１参照）。
【０００３】
【特許文献１】特開平５−１９９４７０号公報
【発明の開示】
【発明が解決しようとする課題】
【０００４】
しかしながら、特許文献１に開示された技術では、ＣＭが終了すると元の番組に自動的に切り替わってしまうため、ユーザがＣＭの終了後もまだザッピングを継続したいにもかかわらず、元の番組に切り替わってしまうおそれがあるという技術的問題点がある。例えば、ＣＭが終了された後の例えば数秒間等の短時間に放映され得る、ＣＭが開始される前と全く同じ内容が終了するまでザッピングを継続したいにもかかわらず、元の番組に切り替わってしまうおそれがある。更に、各種ＣＭの中には、ユーザが視聴したいＣＭがある場合もあり、ザッピング中（即ち、裏番組を確認中）にも元のチャンネルのＣＭも確認できることが望まれる。加えて、ユーザが、ＣＭ中に裏番組として、現在放送中の番組だけでなく、例えば光ディスク、ハードディスク等の記録媒体に記録されたコンテンツも確認したい場合もある。
【０００５】
本発明は、例えば上述した問題点に鑑みなされたものであり、ユーザがザッピングを行う際の利便性を高めることが可能な映像音声出力装置を提供することを課題とする。
【課題を解決するための手段】
【０００６】
上記課題を解決するために、請求項１に記載の映像音声出力装置は、第１映像音声源から第１映像信号及び第１音声信号を含む第１映像音声信号が入力され、前記第１映像音声信号を前記第１映像信号及び第１音声信号に分離する第１分離手段と、第２映像音声源から第２映像信号及び第２音声信号を含む第２映像音声信号が入力され、前記第１映像音声信号を第２映像信号及び第２音声信号に分離する第２分離手段と、前記第１及び第２映像信号のいずれか一の映像信号を選択的に映像出力信号として出力可能な映像選択手段と、前記第１及び第２音声信号のいずれか一の音声信号を選択的に音声出力信号として出力可能な音声選択手段と、ザッピングを開始すべき旨のザッピング開始指令を入力することが可能なザッピング開始指令入力手段と、前記映像出力信号として前記第１映像信号が出力されていると共に前記音声出力信号として前記第１音声信号が出力されている状態である場合において、前記ザッピング開始指令が入力されたときには、前記映像出力信号として前記第２映像信号を出力するように前記映像選択手段を制御すると共に前記音声出力信号として前記第１音声信号を出力するように前記音声選択手段を制御する制御手段とを備える。
【０００７】
本発明の作用及び他の利得は次に説明する実施するための最良の形態から明らかにされる。
【発明を実施するための最良の形態】
【０００８】
以下、発明を実施するための最良の形態としての本発明の実施形態に係る映像音声出力装置について順に説明する。
【０００９】
本発明の映像音声出力装置に係る実施形態は、第１映像音声源から第１映像信号及び第１音声信号を含む第１映像音声信号が入力され、前記第１映像音声信号を前記第１映像信号及び前記第１音声信号に分離する第１分離手段と、第２映像音声源から第２映像信号及び第２音声信号を含む第２映像音声信号が入力され、前記第２映像音声信号を前記第２映像信号及び前記第２音声信号に分離する第２分離手段と、前記第１及び第２映像信号のいずれか一の映像信号を選択的に映像出力信号として出力可能な映像選択手段と、前記第１及び第２音声信号のいずれか一の音声信号を選択的に音声出力信号として出力可能な音声選択手段と、ザッピングを開始すべき旨のザッピング開始指令を入力することが可能なザッピング開始指令入力手段と、前記映像出力信号として前記第１映像信号が出力されていると共に前記音声出力信号として前記第１音声信号が出力されている状態である場合において、前記ザッピング開始指令が入力されたときには、前記映像出力信号として前記第２映像信号を出力するように前記映像選択手段を制御すると共に前記音声出力信号として前記第１音声信号を出力するように前記音声選択手段を制御する制御手段とを備える。
【００１０】
本発明の映像音声出力装置に係る実施形態では、第１映像音声源から第１映像音声信号が第１分離手段に入力され、第２映像音声源から第２映像音声信号が第２分離手段に入力される。第１及び第２映像音声源は夫々、例えば、テレビチューナ、光ディスク再生装置等の映像信号及び音声信号を含む映像音声信号を出力可能な装置である。映像選択手段は、第１及び第２分離手段から夫々出力される第１及び第２映像信号のいずれか一の映像信号を選択的に映像出力信号として出力可能に構成されている。音声選択手段は、第１及び第２分離手段から夫々出力される第１及び第２音声信号のいずれか一の音声信号を選択的に音声出力信号として出力可能に構成されている。
【００１１】
本発明の映像出力装置に係る実施形態によれば、その動作時に、例えば、映像信号出力手段によって第１映像信号が映像出力信号として出力されると共に音声信号出力手段によって第１音声信号が音声出力信号として出力されることで、ユーザは第１映像音声源からの第１映像音声信号に係る内容（例えばテレビ番組、記録媒体に記録されたコンテンツ等）を視聴することが可能となる。
【００１２】
本実施形態では特に、制御手段は、映像出力信号として第１映像信号が出力されていると共に音声出力信号として第１音声信号が出力されている状態である場合において、ザッピング開始指令入力手段によってザッピング開始指令が入力されたときには、映像出力信号として第２映像信号を出力するように映像選択手段を制御すると共に音声出力信号として第１音声信号を出力するように音声選択手段を制御する。
【００１３】
即ち、ユーザが第１映像音声源からの第１映像音声信号に係る例えばテレビ番組などの内容を視聴している場合において、そのテレビ番組が中断され、ＣＭが開始されたときに、ユーザから例えばリモコンなどの操作手段の一部として設けられるザッピング開始指令入力手段にザッピング開始指令が入力される。ザッピング開始指令が入力されると、制御部は、映像出力信号として第２映像信号を出力するように（言い換えれば、映像出力信号を、ユーザがそれまで見ていた第１映像信号からそれまで見ていなかった第２映像信号へ切り替えるように）、映像選択手段を制御する。よって、ユーザは、それまで見ていた第１映像信号とは異なる第２映像信号に係る内容を確認すること（即ち、ザッピングを行うこと）が可能となる。この際、制御部は、音声出力信号として第１音声信号を出力するように（言い換えれば、音声出力信号を、それまで見ていた第１音声信号のまま維持するように）、音声選択手段を制御する。よって、ユーザは、第２映像信号に係る映像を確認しながら、第１音声信号に係る音声を確認することができる。言い換えれば、ユーザは、それまで視聴していた第１映像音声信号に係る内容を音声で確認しながら、第２映像音声信号に係る内容を映像で確認することができる。つまり、例えば、ユーザは、第１映像音声信号に係るＣＭが終了し、再び見ていた番組が開始されるのを音声で確認しながら、第２映像音声信号に係る番組のザッピングを行うことができる。逆に言えば、ユーザは、第２映像音声信号に係る番組のザッピング中に、第１映像音声信号に係る番組を音声で確認することができる。従って、ユーザは、例えば第１映像音声信号に係るＣＭが終了した時など、ユーザが第１映像音声信号に係る番組の視聴に戻りたい時に、ザッピングを終了して、第１映像音声信号に係る番組の視聴に戻ることが容易となる。
【００１４】
この結果、本発明の映像音声出録装置に係る実施形態によれば、ザッピングを行う際のユーザの負担を軽減することができ、ユーザの利便性を高めることができる。
【００１５】
本発明の映像音声出力装置に係る実施形態の一の態様では、前記１及び第２映像音声信号の内容は、ＣＭを含む。
【００１６】
この態様によれば、ユーザは、例えば、第１映像音声信号に係る内容がＣＭ中のときに、第２映像音声信号の内容のザッピングを行うことができる。
【００１７】
本発明の映像音声出力装置に係る実施形態の他の態様では、前記１及び第２映像音声源の少なくとも一方は、放送信号を受信する放送受信手段を含む。
【００１８】
この態様によれば、ユーザは、例えば地上波放送、衛星放送等の放送による番組を、ザッピングの対象とすることができる。
【００１９】
本発明の映像音声出力装置に係る実施形態の他の態様では、前記１及び第２映像音声源の少なくとも一方は、記録媒体に記録された記録信号を再生する再生手段を含む。
【００２０】
この態様によれば、ユーザは、例えば光ディスク、ハードディスク等の記録媒体に記録された内容（例えば、ユーザの指示により自動的に予め記録された放送番組）を、ザッピングの対象とすることができる。
【００２１】
本発明の映像音声出力装置に係る実施形態の他の態様では、前記１及び第２映像音声源の少なくとも一方は、ネットワークを介して所定のサーバ装置から配信される映像音声データを受信する受信端末を含む。
【００２２】
この態様によれば、ユーザは、例えばインターネット等のネットワーク上に接続された所定のサーバ装置から配信される内容を、ザッピングの対象とすることができる。
【００２３】
本発明の実施形態の作用及び他の利得は次に説明する実施例から明らかにされる。
【００２４】
以上説明したように、本発明の映像音声出力装置に係る実施形態によれば、第１分離手段と、第２分離手段と、映像選択手段と、音声選択手段と、ザッピング開始指令入力手段と、制御手段とを備えるので、ザッピングを行う際のユーザの利便性を高めることができる。
【実施例】
【００２５】
以下、本発明の実施例を図面に基づいて説明する。尚、以下の実施例は、２つのテレビ（ＴＶ）チューナを有するテレビジョン受像機に対して、本発明の映像音声出力装置を適用した場合の実施例である。
＜第１実施例＞
先ず、第１実施例に係るテレビジョン受像機の構成について、図１を参照して説明する。ここに図１は、第１実施例に係るテレビジョン受像機の構成を概念的に示すブロック図である。
【００２６】
図１において、本実施例に係るテレビジョン受像機１は、チューナ部１００と、第１映像音声分離部１１１と、第２映像音声分離部１１２と、切替部１２０と、映像出力部１３１と、音声出力部１３２と、システム制御部１４０と、操作部１５０とを備えている。
【００２７】
チューナ部１００は、第１テレビチューナ１０１及び第２テレビチューナ１０２を有している。尚、テレビチューナ１０１及び１０２はそれぞれ、本発明に係る「第１映像音声源」及び「第２映像音声源」の一例である。
【００２８】
第１テレビチューナ１０１は、テレビ放送波を受信するチューナであり、基本的には、ユーザの通常の視聴時に使用される。尚、後述する第２テレビチューナが、ユーザの通常の視聴時に使用される場合には、後述するようにユーザがザッピングを行う際に使用されてもよい。第１テレビチューナ１０１は、受信したチャンネルの番組の映像音声信号を後述する第１映像音声分離部１１１に出力する。
【００２９】
第２テレビチューナ１０２は、テレビ放送波を受信するチューナであり、ユーザがザッピングを行う際に使用される。より具体的には、ユーザが、第１テレビチューナ１０１によって受信されたチャンネルの番組を視聴中に、例えば、番組が中断され、ＣＭが開始されたときに、後述する操作部１５０にユーザからのザッピング開始指令が入力された際に使用される。第２テレビチューナ１０２は、受信したチャンネルの番組の映像音声信号を後述する第２映像音声分離部１１２に出力する。
【００３０】
第１映像音声分離部１１１は、第１テレビチューナ１０１から入力される映像音声信号を映像信号と音声信号とに分離して、分離した映像信号を後述する映像切替スイッチ１２１に出力し、分離した音声信号を後述する音声切替スイッチ１２２に出力する。
【００３１】
第２映像音声分離部１１２は、第２テレビチューナ１０２から入力される映像音声信号を映像信号と音声信号とに分離して、分離した映像信号を後述する映像切替スイッチ１２１に出力し、分離した音声信号を後述する音声切替スイッチ１２２に出力する。
【００３２】
切替部１２０は、映像切替スイッチ１２１及び音声切替スイッチ１２２を有している。尚、映像切替スイッチ１２１は、本発明に係る「映像選択手段」の一例であり、音声切替スイッチ１２２は、本発明に係る「音声選択手段」の一例である。
【００３３】
映像切替スイッチ１２１は、映像信号出力部１３１に入力される映像信号を、システム制御部１４０の制御下で、第１映像音声分離部１１１によって分離された映像信号（即ち、第１テレビチューナ１０１からの映像信号）と第２映像音声分離部１１２によって分離された映像信号（即ち、第２テレビチューナ１０２からの映像信号）との間で切り替えるスイッチ回路である。
【００３４】
音声切替スイッチ１２２は、音声信号出力部１３２に入力される音声信号を、システム制御部１４０の制御下で、第１映像音声分離部１１１によって分離された音声信号（即ち、第１テレビチューナ１０１からの音声信号）と第２映像音声分離部１１２によって分離された音声信号（即ち、第２テレビチューナ１０２からの音声信号）との間で切り替えるスイッチ回路である。
【００３５】
映像出力部１３１は、例えばディスプレイ等の映像出力装置を含み、映像切替スイッチ１２１から入力された映像信号に係る映像を出力する。
【００３６】
音声出力部１３２は、例えばスピーカ等の音声出力装置を含み、音声切替スイッチ１２２から入力された音声信号に係る音声を出力する。
【００３７】
システム制御部１４０は、マイクロプロセッサ（ＭＰＵ）を備えており、操作部１５０から入力される指令に基づいて、予め設定されているシステムプログラム（ないしは、ファームウェア等）を実行することにより、テレビジョン受像機１全体の動作を制御する。
【００３８】
操作部１５０は、番組を切り替えるためのボタンを含む各種ボタン、及び数字キー、上下左右カーソルキー等の複数のキーから構成され、キー操作に従って、所定の指令を示す所定の信号をシステム制御部１４０に出力する。尚、操作部１５０は、本発明に係る「ザッピング開始入力手段」の一例としても機能する。本実施例では、操作部１５０を構成する各種ボタンの一つとして、ユーザがザッピングを開始したい旨を示すザッピング開始指令を入力するためのボタン（以下、「ザッピングボタン」とも呼ぶ）が設けられている。ユーザによってザッピングボタンが押下されると、操作部１５０は、ザッピング開始指令を示すザッピング開始信号をシステム制御部１４０に出力する。尚、ザッピング開始信号が入力された際のシステム制御部１４０の動作については、後に詳細に説明する。
【００３９】
次に、第１実施例に係るテレビジョン受像機の動作について、図１に加えて図２を参照して説明する。尚、以下では、ユーザが、第１テレビチューナ１０１により受信中のチャンネルの番組を視聴中、その番組が中断され、ＣＭが開始されたためにザッピングを行う際におけるテレビジョン受像機１の動作を主に説明する。ここに図２は、ユーザによりザッピングが行われる際における第１実施例に係るテレビジョン受像機が行う処理の流れを概念的に示すフローチャートである。
【００４０】
図２において、先ず、ユーザが第１テレビチューナ１０１により受信中のチャンネルの番組を視聴中（即ち、映像切替スイッチ１２１が第１テレビチューナ１０１からの映像信号を映像出力部１３１に出力していると共に、音声切替スイッチ１２２が第１テレビチューナ１０１からの音声信号を音声出力部１３２に出力している状態）に、その番組が中断され、ＣＭが開始される（ステップＳ１０１）。
【００４１】
次に、操作部１５０は、当該操作部１５０に設けられたザッピングボタンがユーザにより押下されると、ザッピング開始信号をシステム制御部１４０に出力する（ステップＳ１０２）。即ち、ユーザが、視聴中の番組が中断されＣＭが開始されたため、ザッピング（即ち、他のチャンネルの番組の内容の確認）を開始すべく、操作部１５０のザッピングボタンを押下すると、操作部１５０からシステム制御部１４０にザッピング開始指令が送信される。
【００４２】
次に、システム制御部１４０は、テレビ放送波の受信を開始するように、第２テレビチューナ１０２を制御する（ステップＳ１０３）。つまり、ザッピングのための動作が開始される。この際、システム制御部１４０は、第２テレビチューナ１０２を、複数のチャンネルを所定の順番で切り替えながら受信するように制御してもよいし、ユーザによる操作部１５０の操作に応じてチャンネルを切り替えながら受信するように制御してもよい。
【００４３】
次に、システム制御部１４０は、映像信号のみ、第２テレビチューナ１０２側に切り替えるように、切替部１２０を制御する（ステップＳ１０４）。
【００４４】
より具体的には、システム制御部１４０は、映像信号出力部１３１に入力される映像信号が、第２テレビチューナ１０２からの映像信号となるように、映像切替スイッチ１２１を制御すると共に、音声信号出力部１３２に入力される音声信号が、第１テレビチューナ１０１からの音声信号となるように、音声切換スイッチ１２２を制御する。つまり、システム制御部１４０は、映像出力部１３１から出力される映像が、ユーザがそれまで（即ち、ザッピングを開始する前まで）視聴していたチャンネルの映像（即ち、第１テレビチューナ１０１により受信中のチャンネルの映像）からそれまで視聴していなかったチャンネルの映像（即ち、第２テレビチューナ１０２により受信中のチャンネルの映像）に切り替えられるように、映像切替スイッチ１２１を制御すると共に、音声出力部１３２から出力される音声が、ユーザがそれまで視聴していたチャンネルの音声（即ち、第１テレビチューナ１０１により受信中のチャンネルの音声）のまま維持されるように、音声切替スイッチ１２２を制御する。言い換えれば、システム制御部１４０は、音声出力部１３２から出力される音声については、ユーザがそれまで視聴していたチャンネルの音声をそのまま維持して、映像出力部１３１から出力される映像のみを、ユーザがザッピングを行うための他のチャンネルの映像に切り替えるように、切替部１２０を制御する。
【００４５】
よって、ユーザは、それまで視聴していたチャンネルの番組とは異なるチャンネルの番組を映像で確認しながら、それまで視聴していたチャンネルの番組を音声で確認することができる。言い換えれば、ユーザは、それまで視聴していたチャンネルの番組を音声で確認しながら、それまで視聴していた番組とは異なるチャンネルの番組を映像で確認することができる。つまり、ユーザは、それまで視聴していたチャンネルの番組を音声で確認しながら、ザッピングを行うことができる。例えば、ユーザは、それまで視聴していた番組の途中のＣＭが終了し、視聴していた番組が再び開始されるのを音声で確認しながら、第２テレビチューナ１０２により受信されるチャンネルの番組を映像で確認することができる。従って、ユーザは、例えば、それまで視聴していた番組の途中のＣＭが終了した時、或いは、ＣＭが終了された後に放映されるＣＭが開始される前と全く同じ内容が終了した時など、ユーザがそれまで視聴していた番組の視聴に戻りたい時に、ザッピングを終了して、それまで視聴していた番組の視聴に戻ることが容易となる。即ち、本実施例に係るテレビジョン受像機１によれば、ザッピングを行う際のユーザの利便性を高めることができる。
【００４６】
尚、上述したように映像信号のみ第２テレビチューナ１０２側に切り替えられる際、システム制御部１４０は、音声出力部１３２から出力される音声が小さくなるように、音声出力部１３２を制御してもよい。即ち、音声出力部１３２から出力される音声については、映像が切り替えられる前と比べて、音量或いはボリュームレベルが小さくなるようにしてもよい。この場合には、ユーザは、それまで視聴していた番組を比較的小さな音声で確認しながら、他のチャネルの映像を比較的集中して確認することができる。
【００４７】
次に、第１テレビチューナ１０１により受信される、それまで視聴していた番組の視聴に戻るか否かがシステム制御部１４０により判定される（ステップＳ１０５）。即ち、操作部１５０に設けられた番組を切り替えるためのボタンがユーザにより押下されることによってそれまで視聴していた番組が選択されたことを示す所定の信号が、操作部１５０から当該システム制御部１４０に入力されたか否かがシステム制御部１４０によって判定される。
【００４８】
それまで視聴していた番組の視聴に戻ると判定された場合には（ステップＳ１０５：Ｙｅｓ）、システム制御部１４０は、映像信号出力部１３１に入力される映像信号が、第１テレビチューナ１０１からの映像信号となるように、映像切替スイッチ１２１を制御する（ステップＳ１０６）。即ち、システム制御部１４０は、映像出力部１３１から出力される映像が、ユーザがザッピングする前まで視聴していたチャンネルの映像となるように、映像切替スイッチ１２１を制御する。この際、システム制御部１４０は、音声出力部１３２から出力される音声が、第１テレビチューナ１０１からの音声信号のままで維持されるように、音声切替スイッチ１２２を制御する。つまり、ユーザが、第１テレビチューナ１０１により受信される、ザッピングする前までに視聴していた番組を再び視聴可能なように、切替部１２０を制御する。このように、ユーザが第１テレビチューナ１０１により受信される番組を再び視聴し始めることで、ザッピングが終了する。
【００４９】
一方、それまで視聴していた番組の視聴に戻らないと判定された場合には（ステップＳ１０５：Ｎｏ）、ザッピング中の番組を視聴するか否かがシステム制御部１４０により判定される（ステップＳ１０７）。即ち、操作部１５０に設けられたザッピング中の番組（即ち、第２テレビチューナ１０２により受信中のチャンネルの番組）の視聴を確定するためのボタンがユーザにより押下されることによってザッピング中の番組が選択されたことを示す所定の信号が、操作部１５０から入力されたか否かがシステム制御部１４０によって判定される。
【００５０】
ザッピング中の番組を視聴すると判定された場合には（ステップＳ１０７：Ｙｅｓ）、システム制御部１４０は、音声信号出力部１３２に入力される音声信号が、第２テレビチューナ１０２からの音声信号となるように、音声切替スイッチ１２２を制御する（ステップＳ１０８）。即ち、音声出力部１３２から出力される音声が、ユーザがザッピング中のチャンネルの音声となるように、音声切替スイッチ１２２を制御する。この際、システム制御部１４０は、映像出力部１３１から出力される映像が、第２テレビチューナ１０２からの映像信号のままで維持されるように、映像切替スイッチ１２１を制御する。つまり、ユーザが、第２テレビチューナ１０２により受信される、ザッピング中の番組を新たに視聴可能なように、切替部１２０を制御する。このように、ユーザが第２テレビチューナ１０２により受信される番組を新たに視聴し始めることで、ザッピングが終了する。
【００５１】
一方、ザッピング中の番組を視聴しないと判定された場合には（ステップＳ１０７：Ｎｏ）、ザッピングが継続される（ステップＳ１０９）。即ち、システム制御部１４０は、映像出力部１３１から出力される映像が、第２テレビチューナ１０２により受信される映像（即ち、ザッピングを行うための映像）のまま維持されるように、映像切替スイッチ１２１を制御すると共に、音声出力部１３２から出力される音声が、第１テレビチューナ１０１により受信される音声（即ち、ザッピングを開始する前まで視聴していた番組の音声）のまま維持されるように、音声切替スイッチ１２２を制御する。続いて、ステップＳ１０５に係る処理が再び行われる。
【００５２】
以上説明したように、本実施例に係るテレビジョン受像機１によれば、ザッピングを行う際のユーザの利便性を高めることができる。
【００５３】
尚、本実施例では、操作部１５０に設けられたザッピングボタンがユーザにより押下されたときに、ザッピングのための動作が開始される（ステップＳ１０３）ようにしたが、例えば、第１テレビチューナ１０１により受信される視聴中の番組が中断され、ＣＭが開始されたことを検知するＣＭ検知手段を設け、ＣＭ検知手段によりＣＭが検知された場合に自動的にザッピングのための動作が開始されるようにしてもよい。この場合には、例えばＣＭ毎にザッピングボタンを押すというユーザの負担を軽減でき、ユーザの利便性を一層高めることができる。但し、ＣＭ毎にザッピングを行う必要がない場合には、本実施例の如くザッピングボタンがユーザにより押下されたときに、ザッピングのための動作が開始されるように構成することで、当該テレビジョン受像機１の無駄な動作を省くことができる。
＜第２実施例＞
次に、第２実施例に係るテレビジョン受像機について、図３及び図４を参照して説明する。
【００５４】
先ず、第２実施例に係るテレビジョン受像機の構成について、図３を参照して説明する。ここに図３は、第２実施例における図１と同趣旨のブロック図である。尚、図３において、図１に示した第１実施例に係る構成要素と同様の構成要素に同一の参照符合を付し、それらの説明は適宜省略する。
【００５５】
図３において、第２実施例に係るテレビジョン受像機２は、光ディスク再生部１０３と第３映像音声分離部１１３とを備える点、及び上述した第１実施例における切替部１２０に代えて切替部１２０ｂを備える点で、上述した第１実施例に係るテレビジョン受像機１と異なり、その他の点については、上述した第１実施例に係るテレビジョン受像機１と概ね同様に構成されている。
【００５６】
図３において、光ディスク再生部１０３は、例えばＤＶＤ等の記録媒体である光ディスクに記録された映像及び音声を含むコンテンツを再生可能な再生装置を含んで構成されている。光ディスク再生部１０３は、第１テレビチューナ１０１の代わりにユーザの通常の視聴時に使用されたり、第２テレビチューナ１０２の代わりにユーザがザッピングを行う際に使用されたりする。光ディスク再生部１０３は、光ディスクから再生した映像音声信号を第３映像音声分離部１１３に出力する。
【００５７】
第３映像音声分離部１１３は、光ディスク再生部１０３から入力される映像音声信号を映像信号と音声信号とに分離して、分離した映像信号を映像切替スイッチ１２１ｂに出力し、分離した音声信号を後述する音声切替スイッチ１２２ｂに出力する。
【００５８】
切替部１２０ｂは、映像切替スイッチ１２１ｂ及び音声切替スイッチ１２２ｂを有している。
【００５９】
映像切替スイッチ１２１ｂは、映像信号出力部１３１に入力される映像信号を、システム制御部１４０の制御下で、第１映像音声分離部１１１によって分離された映像信号（即ち、第１テレビチューナ１０１からの映像信号）と第２映像音声分離部１１２によって分離された映像信号（即ち、第２テレビチューナ１０２からの映像信号）と第３映像音声分離部１１３によって分離された映像信号（即ち、光ディスク再生部１０３からの映像信号）との間で切り替えるスイッチ回路である。
【００６０】
音声切替スイッチ１２２ｂは、音声信号出力部１３２に入力される音声信号を、システム制御部１４０の制御下で、第１映像音声分離部１１１によって分離された音声信号（即ち、第１テレビチューナ１０１からの音声信号）と第２映像音声分離部１１２によって分離された音声信号（即ち、第２テレビチューナ１０２からの音声信号）と第３映像音声分離部１１３によって分離された音声信号（即ち、光ディスク再生部１０３からの音声信号）との間で切り替えるスイッチ回路である。
【００６１】
次に、第２実施例に係るテレビジョン受像機の動作について、図４を参照して説明する。尚、以下では、ユーザが、第１テレビチューナ１０１により受信中のチャンネルの番組を視聴中、その番組が中断され、ＣＭが開始されたためにザッピングを行う際におけるテレビジョン受像機２の動作を主に説明する。ここに図４は、第２実施例における図２と同趣旨のフローチャートである。図４において、図２に示した第１実施例に係る処理と同様の処理に同一の参照符合を付し、それらの説明は適宜省略する。
【００６２】
図４において、先ず、ユーザが第１テレビチューナ１０１により受信中のチャンネルの番組を視聴中に、その番組が中断され、ＣＭが開始される（ステップＳ１０１）。
【００６３】
次に、操作部１５０は、当該操作部１５０に設けられたザッピングボタンがユーザにより押下されると、ザッピング開始信号をシステム制御部１４０に出力する（ステップＳ１０２）。
【００６４】
次に、システム制御部１４０は、テレビ放送波の受信を開始するように、第２テレビチューナ１０２を制御すると共に、光ディスクの再生を開始するように、光ディスク再生部１０３を制御する（ステップＳ２０３）。つまり、ザッピングのための動作が開始される。この際、システム制御部１４０は、第２テレビチューナ１０２を、複数のチャンネルを所定の順番で切り替えながら受信するように制御してもよいし、ユーザによる操作部１５０の操作に応じてチャンネルを切り替えながら受信するように制御してもよい。また、システム制御部１４０は、光ディスク再生部１０３を、記録された複数のコンテンツを所定の順番で切り替えながら再生するように制御してもよいし、ユーザによる操作部１５０の操作に応じてコンテンツを切り換えながら再生するようにしてもよい。尚、システム制御部１４０は、第２テレビチューナ１０２だけを開始するように制御するようにしてもよいし、光ディスク再生部１０３だけを開始するように制御してもよい。
【００６５】
次に、システム制御部１４０は、映像信号のみ、第２テレビチューナ１０２側又は光ディスク再生部１０３側に切り替えるように、切替部１２０ｂを制御する（ステップＳ２０４）。
【００６６】
より具体的には、システム制御部１４０は、映像信号出力部１３１に入力される映像信号が、第２テレビチューナ１０２からの映像信号又は光ディスク再生部１０３からの映像信号となるように、映像切替スイッチ１２１ｂを制御すると共に、音声信号出力部１３２に入力される音声信号が、第１テレビチューナ１０１からの音声信号となるように、音声切換スイッチ１２２ｂを制御する。つまり、システム制御部１４０は、映像出力部１３１から出力される映像が、ユーザがそれまで（即ち、ザッピングを開始する前まで）視聴していたチャンネルの映像（即ち、第１テレビチューナ１０１により受信中のチャンネルの映像）からそれまで視聴していなかった、第２テレビチューナ１０２により受信中のチャンネルの映像又は光ディスク再生部１０３により再生中のコンテンツの映像に切り替えられるように、映像切替スイッチ１２１ｂを制御すると共に、音声出力部１３２から出力される音声が、ユーザがそれまで視聴していたチャンネルの音声（即ち、第１テレビチューナ１０１により受信中のチャンネルの音声）のまま維持されるように、音声切替スイッチ１２２ｂを制御する。言い換えれば、システム制御部１４０は、音声出力部１３２から出力される音声については、ユーザがそれまで視聴していたチャンネルの音声をそのまま維持して、映像出力部１３１から出力される映像のみを、ユーザがザッピングを行うための他の映像(即ち、第２テレビチューナ１０２により受信中のチャンネルの映像又は光ディスク再生部１０３により再生中のコンテンツの映像）に切り替えるように、切替部１２０ｂを制御する。
【００６７】
よって、ユーザは、それまで視聴していたチャンネルの番組とは異なるチャンネルの番組或いは光ディスクに記録されたコンテンツを映像で確認しながら、それまで視聴していたチャンネルの番組を音声で確認することができる。つまり、ユーザは、それまで視聴していたチャンネルの番組を音声で確認しながら、ザッピングを行うことができる。更に、ユーザは、第２テレビチューナにより受信されるチャンネルの番組だけでなく、光ディスク再生部１０３により再生される光ディスクのコンテンツをザッピングの対象とすることができる。このように光ディスクのコンテンツをザッピングの対象とすることができることは、例えば光ディスクに予め自動的に録画されたコンテンツが何であるかを確認したい場合や光ディスクに記録されたコンテンツの見たい場面を探したい場合などに便利である。
【００６８】
次に、第１テレビチューナ１０１により受信される、それまで視聴していた番組の視聴に戻るか否かがシステム制御部１４０により判定される（ステップＳ１０５）。
【００６９】
それまで視聴していた番組の視聴に戻ると判定された場合には（ステップＳ１０５：Ｙｅｓ）、システム制御部１４０は、映像信号出力部１３１に入力される映像信号が、第１テレビチューナ１０１からの映像信号となるように、映像切替スイッチ１２１ｂを制御する（ステップＳ１０６）。
【００７０】
一方、それまで視聴していた番組の視聴に戻らないと判定された場合には（ステップＳ１０５：Ｎｏ）、ザッピング中の番組を視聴するか否かがシステム制御部１４０により判定される（ステップＳ２０７）。即ち、操作部１５０に設けられたザッピング中の番組又はコンテンツ（即ち、第２テレビチューナ１０２により受信中のチャンネルの番組又は光ディスク再生部１０３により再生中の光ディスクのコンテンツ）の視聴を確定するためのボタンがユーザにより押下されることによってザッピング中の番組又はコンテンツが選択されたことを示す所定の信号が、操作部１５０から入力されたか否かがシステム制御部１４０によって判定される。
【００７１】
ザッピング中の番組又はコンテンツを視聴すると判定された場合には（ステップＳ２０７：Ｙｅｓ）、システム制御部１４０は、音声信号出力部１３２に入力される音声信号が、
映像信号出力部１３１に入力されている映像信号に対応する音声信号となるように、音声切替スイッチ１２２ｂを制御する（ステップＳ２０８）。即ち、音声出力部１３２から出力される音声が、ユーザがザッピング中のチャンネル或いは光ディスクの音声となるように、音声切替スイッチ１２２ｂを制御する。この際、システム制御部１４０は、映像出力部１３１から出力される映像が、第２テレビチューナ１０２又は光ディスク再生部１０３からの映像信号のままで維持されるように、映像切替スイッチ１２１ｂを制御する。つまり、ユーザが、ザッピング中の番組又はコンテンツを新たに視聴可能なように、切替部１２０ｂを制御する。このように、ユーザが第２テレビチューナ１０２により受信される番組又は光ディスク再生部１０３により再生されるコンテンツを新たに視聴し始めることで、ザッピングが終了する。
【００７２】
一方、ザッピング中の番組を視聴しないと判定された場合には（ステップＳ２０７：Ｎｏ）、ザッピングが継続される（ステップＳ１０９）。続いて、ステップＳ１０５に係る処理が再び行われる。
【００７３】
尚、テレビジョン受像機２は、光ディスク再生部１０３に代えて或いは加えて、例えばインターネット等のネットワークを介して所定のサーバ装置から配信されるコンテンツを受信可能な受信端末を備えていてもよい。この場合には、所定のサーバ装置から配信されるコンテンツもザッピングの対象とすることができ、ユーザの利便性を一層高めることができる。
【００７４】
本発明は、上述した実施例に限られるものではなく、請求の範囲及び明細書全体から読み取れる発明の要旨或いは思想に反しない範囲で適宜変更可能であり、そのような変更を伴う映像音声出力装置もまた本発明の技術的範囲に含まれるものである。
【図面の簡単な説明】
【００７５】
【図１】第１実施例に係るテレビジョン受像機の構成を概念的に示すブロック図である。
【図２】第１実施例に係るテレビジョン受像機の動作の一例を概念的に示すフローチャートである。
【図３】第２実施例に係るテレビジョン受像機の構成を概念的に示すブロック図である。
【図４】第２実施例に係るテレビジョン受像機の動作の一例を概念的に示すフローチャートである。
【符号の説明】
【００７６】
１００  チューナ部
１０１  第１テレビチューナ
１０２  第２テレビチューナ
１１１  第１映像音声分離部
１１２  第２映像音声分離部
１２０  切替部
１２１  映像切替スイッチ
１２２  音声切替スイッチ
１３１  映像出力部
１３２  音声出力部
１４０  システム制御部
１５０  操作部
【図１】
2008244606.tif 000003
【図２】
2008244606.tif 000004
【図３】
2008244606.tif 000005
【図４】
2008244606.tif 000006